(57)【要約】  本発明は、製品の湾曲壁面に連結するための受け器に関する。受け器は、製品周りで部分的に延びるように構成された、一対の離間したフランジを有する。受け器は、製品の湾曲壁面から離間するように構成された外壁部材を含む。受け器は、フランジを外壁部材に連結する一対の離間した端部を含む。受け器は、端部に連結し、端部間を延びる底面を含む。底面は、外壁部材に連結し、外壁部材と平行に延びる外縁を有する。底面は、製品の湾曲壁面に当接し、製品の湾曲壁面周りで部分的に延びるように構成された湾曲した内縁を有する。
2014503438.tif 000002
【特許請求の範囲】
【請求項１】
製品の湾曲壁面に連結するための受け器であって、
前記製品周りで部分的に延びるように構成された、一対の離間したフランジと、
前記製品の前記湾曲壁面から離間するように構成された外壁部材と、
前記フランジを前記外壁部材に連結する一対の離間した端部と、
前記端部に連結し、前記端部間を延びる底面であって、前記外壁部材に連結し、前記外壁部材と平行に延びる外縁を有し、また、前記製品の前記湾曲壁面に当接し、前記製品の前記湾曲壁面周りで部分的に延びるように構成された湾曲した内縁を有する底面と
を備える受け器。
【請求項２】
前記底面の外縁が湾曲しており、前記外壁部材がアーチ形である、請求項１に記載の受け器。
【請求項３】
前記底面の内縁が前記製品の湾曲と一致する湾曲を形成し、前記製品と十分に当接することができるように、前記外壁部材および前記底面が弾性材料から成形されている、請求項１に記載の受け器。
【請求項４】
前記外壁部材が前記製品の前記湾曲壁面と平行に延び、前記製品の前記湾曲壁面の一部分を部分的に覆う、請求項１に記載の受け器。
【請求項５】
前記製品の湾曲を有する前記湾曲壁面および受け器がさらに、前記フランジを前記製品に選択的に接着することができるように、前記フランジに配設された接着剤を含み、前記外壁部材、前記底面の内縁および前記底面の外縁が、前記製品の前記湾曲壁面の湾曲と等しい湾曲を有する、請求項１に記載の受け器。
【請求項６】
前記受け器の底面を通って延びる排水穴を含み、前記排水穴が、受け器に入った水を排出することができるように構成されている、請求項１に記載の受け器。
【請求項７】
湾曲壁面を有する製品および前記製品の前記湾曲壁面に連結する受け器の組合せであって、前記受け器が、
前記製品周りで部分的に延びるように構成された、一対の離間したフランジと、
前記製品の前記湾曲壁面から離間し、前記製品の前記湾曲壁面の一部分を部分的に覆い、アーチ形である外壁部材と、
前記製品の前記湾曲壁面から延びる一対の離間した端部であって、前記フランジを前記外壁部材に連結する端部と、
前記端部に連結し、前記端部間を延びる底面であって、前記外壁部材に連結し、前記外壁部材と平行に延びる湾曲した外縁を有するアーチ形である底面と、前記湾曲した外縁から離間し、前記湾曲した外縁と平行に延びる湾曲した内縁であって、前記製品の前記湾曲壁面と当接し、前記製品の前記湾曲壁面周りで部分的に延びるように構成された湾曲した内縁とを含む組合せ。
【請求項８】
物体をさらに含み、前記製品の前記湾曲壁面が凸状面を有し、前記受け器の前記フランジが、前記凸状面に連結するように構成されており、前記底面の前記湾曲した内縁が前記凸状面に当接し、前記凸状面周りで部分的に延びるように構成されており、前記外壁部材が前記凸状面に面し、部分的に前記凸状面と平行に延びるように配設されており、前記外壁部材の反対側に位置合わせされた前記凸状面の一部分が前記受け器の一部を形成し、前記受け器内に配設された前記物体が、前記受け器の底面、前記受け器の端部、前記受け器の外壁部材、および前記製品の前記湾曲壁面の凸状面の前記部分によって保持される、請求項７に記載の組合せ。
【請求項９】
物体をさらに含み、前記製品の前記湾曲壁面が凹状面を有し、前記受け器の前記フランジが、前記凹状面に連結するように構成されており、前記底面の前記湾曲した内縁が前記凹状面に当接し、前記凹状面周りで部分的に延びるように構成されており、前記外壁部材が前記凹状面に面し、部分的に前記凹状面と平行に延びるように配設されており、前記外壁部材の反対側に位置合わせされた前記凹状面の一部分が前記受け器の一部を形成し、前記受け器内に配設された前記物体が、前記受け器の底面、前記受け器の端部、前記受け器の外壁部材、および前記製品の前記湾曲壁面の凹状面の前記部分によって保持される、請求項７に記載の組合せ。
【請求項１０】
前記受け器の一部を形成する前記外壁部材の反対側に位置合わせされた前記製品の凸状面の一部分をさらに含み、前記受け器が前記受け器の底面の反対側の閉じた上面および内部をさらに含み、前記受け器の上面が前記受け器の端部に連結し、前記受け器の端部間を延び、前記製品の前記湾曲壁面の前記部分が前記受け器の内部へのアクセスを可能にするように構成された開口を有する、請求項７に記載の組合せ。
【請求項１１】
前記受け器が前記受け器の底面の反対側の閉じた上面をさらに含み、また、内部を含んでおり、前記上面が、前記受け器の端部に連結し、前記受け器の端部間を延び、前記製品の前記湾曲壁面の前記部分が、前記受け器の内部へのアクセスを可能にするように構成された開口を有する、請求項９に記載の組合せ。
【請求項１２】
前記湾曲壁面の前記部分が上半分および下半分を有し、前記開口が前記湾曲壁面の前記部分の前記上半分と一致し、前記下半分は前記湾曲壁面と一体化され、前記受け器内に配設された前記物体を保持するように構成された、請求項１１に記載の組合せ。
【請求項１３】
前記製品が内部を含み、前記受け器が前記製品の前記内部に配設されており、前記製品が前記製品の前記内部へのアクセスを覆う閉じた上面を含み、前記製品の前記上面が前記上面を通って延びるスロットを有し、前記製品が前記スロットを通してその内部の情報を受け取る、請求項１１に記載の組合せ。
【請求項１４】
前記フランジを選択的に前記製品に接着することができるように、前記フランジに配設された接着剤をさらに含む、請求項７に記載の組合せ。
【請求項１５】
前記製品の前記湾曲壁面の前記部分が、前記受け器内に入った水を排出することができるように構成された排水穴を含む、請求項９に記載の組合せ。
【請求項１６】
前記受け器の前記端部が前記製品の前記湾曲壁面から径方向に延び、前記受け器は前記製品と一体である、請求項７に記載の組合せ。
【請求項１７】
前記製品および前記受け器がブロー成形によって成形される、請求項７に記載の組合せ。
【請求項１８】
ブロー成形による受け器を有する容器を成形する方法であって、
容器の鏡像である輪郭面を有する金型を設けるステップであって、前記金型が前記容器にくぼみを成形するように内向きに延びる突起を有するステップと、
加圧された空気によって溶融材料を前記金型の前記輪郭面へと配設するステップであって、前記溶融材料が前記くぼみを含む前記容器を成形するステップと、
前記金型から前記容器を取り外すステップと、
材料の一部分を少なくとも前記くぼみの一部に亘って連結することによって、前記容器用の受け器を成形するステップとを含む方法。
【請求項１９】
材料の前記一部分が前記くぼみの一部のみを覆い、それにより前記受け器が開口を有する、請求項１８に記載の方法。
【請求項２０】
前記金型の前記輪郭面が湾曲を有する湾曲面を含み、材料の前記一部分が前記金型の前記湾曲面の前記湾曲と等しい湾曲を有するように材料の前記一部分を形成するステップをさらに含む、請求項１８に記載の方法。
【発明の詳細な説明】
【技術分野】
【０００１】
本発明は受け器に関する。特に、本発明は湾曲壁面を有する製品に取り付けるための受け器に関する。
【背景技術】
【０００２】
円形のあらかじめ形成された製品に取り付けるように構成された受け器を提供することはそれ自体公知である。
【０００３】
例えば、Ｓｔｅｖｅｎｓｏｎの米国特許第６２４，７０１号は、ボトルに取り付けるためのラベルホルダを示している。しかし、ホルダはかさばり、比較的多数の部品を有するため、製造に比較的費用がかかることがある。
【０００４】
Ｃｕｄｎｅｙの米国特許第７，１５６，３５２号は、塗料缶のための付属容器取り付け具を示している。この容器も同様に、比較的多数の部品を有する。Ｃｕｄｎｅｙの容器も比較的かさばると考えられ、したがって付属容器が取り付けられた複数の前記製品を効果的に棚に積み重ねられないことがある。
【０００５】
Ｃｈｏｌｌｅｔの米国特許第５，４８２，０９５号は、ボトルに取り付けるための、よりコンパクトな受け器を示す。したがって、受け器が取り付けられた複数のボトルをより容易に棚に積み重ねることができる。しかし、コンパクトな略卵形状の受け器は、依然として比較的空間をとるかたちで外向きに突出することがある。また、受け器の略卵形状によって、受け器の保存空間が限られることになると考えられる。
【先行技術文献】
【特許文献】
【０００６】
【特許文献１】米国特許第６２４，７０１号
【特許文献２】米国特許第７，１５６，３５２号
【特許文献３】米国特許第５，４８２，０９５号
【発明の概要】
【発明が解決しようとする課題】
【０００７】
本発明は、上記の短所を克服する、本明細書で開示される受け器を提供する。本発明の目的は、製品の湾曲壁面に取り付けるための改善された受け器を提供することである。
【課題を解決するための手段】
【０００８】
したがって、製品の湾曲壁面に連結するための受け器が提供される。受け器は、製品周りで部分的に延びるように構成された、一対の離間したフランジを有する。受け器は、製品の湾曲壁面から離間するように構成された外壁部材を含む。受け器は、フランジを外壁部材に連結する一対の離間した端部を含む。受け器は、端部に連結し、端部間を延びる底面を含む。底面は、外壁部材に連結し、外壁部材と平行に延びる外縁を有する。底面は、製品に当接し、製品周りで部分的に延びるように構成された湾曲した内縁を有する。
【０００９】
湾曲壁面を有する製品および製品の湾曲壁面に連結するための受け器の組合せも提供される。受け器は、製品周りで部分的に延びるように構成された、一対の離間したフランジを有する。フランジを選択的に製品に接着することを可能にするように、接着剤がフランジに配設される。受け器は、製品の湾曲壁面から離間し、製品の湾曲壁面の一部分を部分的に覆う外壁部材を含む。外壁部材はアーチ形である。一対の離間した端部は製品から径方向外向きに延びる。端部はフランジを外壁部材に連結する。受け器は、端部に連結し、端部間を延びる底面を含む。底面は、外壁部材に連結し、外壁部材と平行に延びる湾曲した外縁を有するアーチ形である。底面はまた、湾曲した外縁から離間し、湾曲した外縁と平行に延びる湾曲した内縁も有する。底面の湾曲した内縁は、製品に当接し、製品周りで部分的に延びるように構成されている。
【００１０】
湾曲壁面を有する容器、容器の湾曲壁面に連結するための略ポケット状の受け器、および受け器によって保持される物体の組合せがさらに提供される。受け器は閉じた底面および底面の反対側の上面を有する。受け器は、底面と上面との間に介在する一対の離間した閉じた端部を有する。受け器は、端部間を延びる閉じた外壁部材を含む。受け器は、外壁部材の反対側に容器に面する開口後面を有する。受け器の底面、受け器の端部、受け器の外壁部材、および外壁部材の反対側に位置合わせされた容器の湾曲壁面の一部分によって、物体が保持される。
【００１１】
ブロー成形によって受け器を有する容器を成形する方法がさらに提供される。方法は、容器の鏡像である輪郭面を有する金型を設けるステップを含む。金型は、容器にくぼみを成形するように、内向きに延びる突起を有する。方法は、溶融材料を加圧された空気によって金型の輪郭面へと配設するステップを含む。溶融材料は、くぼみを含む容器を成形する。方法は、金型から容器を取り外すステップを含む。方法は、材料の一部分を少なくともくぼみの一部と連結することによって、容器のための受け器を成形するステップを含む。
【００１２】
本発明は、添付の図面を参照しながら、例示のためにのみ以下に記載される好ましい実施形態の説明から、容易に理解することができるであろう。
【図面の簡単な説明】
【００１３】
【図１】一実施形態による受け器の上背面斜視図である。
【図２】図１に示す受け器の平面図である。
【図３】図１に示す受け器の正面図である。
【図４】製品の凸状外面に取り付けるプロセスにおける、図１に示す受け器の下正面斜視図である。
【図５】製品に取り付けられた、図４に示す受け器の下正面斜視図である。
【図６】他の実施形態による受け器の上背面斜視図である。
【図７】図６に示す受け器の平面図である。
【図８】図６に示す受け器の正面図である。
【図９】容器の凹状内面に取り付けられた、図６に示す受け器の平面図である。
【図１０】図９に示す受け器の上側方斜視図であり、受け器が図９に示す容器とともに、部分的に破線で示されている図である。
【図１１】別の実施形態による受け器の上背面斜視図である。
【図１２】図１１に示す受け器の上側方斜視図であり、受け器が別の実施形態による容器とともに、部分的に破線で示されている図である。
【発明を実施するための形態】
【００１４】
図面を参照すると、まず図１は、凸曲面形状を有する製品に取り付けるための受け器１１を示しており、本実施例では製品は容器であり、この場合は図４および５に示すように標準的な円形の５ガロンプラスチック水ボトル１２である。ボトル１２は、本実施例ではボトルの外側１７の外面１５である凸面状の湾曲壁面１４を有する。
【００１５】
再び図１を参照すると、受け器１１は一対の離間したフランジ１６および１８を含む。フランジは全体的に長方形であり、部分的に湾曲しており、ボトル周りで部分的に延びるように構成されている。受け器１１は、図２に示すように、フランジの内面２２および２４に配設された接着剤２０を含む。フランジの内面は、本実施例では凹状である。接着剤２０は、フランジを選択的にボトルに接着することができるように構成されている。
【００１６】
受け器１１は、ボトルから離間するように構成された、閉じた外壁部材２６を有する。外壁部材はボトル周りで部分的に延びている。外壁部材２６は湾曲しており、本実施例ではアーチ形である。好ましくは、外壁部材２６は、ボトルの湾曲に一致する湾曲を有する。外壁部材は好ましくは、図４および５に示すように、ボトル１２の湾曲壁面１４と平行に延びるように構成されている。外壁部材２６は、本実施例では弾性プラスチックから形成されている。
【００１７】
図２に示すように、受け器１１は外壁部材２６の反対側の開口後面２８を含む。
【００１８】
受け器１１は、一対の離間した閉じた端部３０および３２を有する。端部はフランジ１６および１８を外壁部材２６に連結する。本実施例では、端部３０および３２は、ボトルから径方向外向きに延びるように構成されている。図２に示すように、端部３０および３２は、外壁部材２６と開口後面２８との間に介在する。
【００１９】
受け器１１は閉じた底面３４を有する。底面は端部３０および３２に連結し、端部３０と３２との間に延びる。底面３４は、外壁部材２６に連結し、外壁部材２６と平行に延びる湾曲した外縁３６を含む。底面３４はまた、図５に示すようにボトル１２に当接し、ボトル１２周りで部分的に延びるように構成された、湾曲した内縁３８を含む。好ましい一実施形態によれば、外縁３６および内縁３８は、湾曲壁面１４、および本実施例ではボトル１２の外面１５の湾曲と一致する湾曲を有する。したがって、底面３４は全体的にアーチ形である。
【００２０】
あるいは、底面３４は弾性材料から成形してもよく、このため受け器１１はボトルから取り外された状態において、ボトル１２の湾曲壁面１４の湾曲に一致している必要はない。外壁部材２６および底面３４は、部分的に可橈性としてもよく、これによりボトルの湾曲と一致する湾曲を形成することで、底面３４の内縁３８がボトルに十分に当接するものとなる。
【００２１】
受け器１１は、図４に示すように物体４１を受けるための、本実施例では図１に示す開口上面４０を含む。図１を再び参照すると、上面４０は底面３４の反対側にある。端部３０および３２ならびに外壁部材２６は底面３４から上面４０へと延びる。
【００２２】
受け器１１は、本実施例では底面３４を通って延びる排水穴４２である開口を含む。排水穴は、例えば開口上面４０を通って受け器に入る水を排出することができるように構成されている。排水穴４２は、端部３０および３２に対して中心に配設されている。排水穴４２は、本実施例では、受け器１１の底面３４の外縁３６に沿って部分的に延びるスリットの形態である。
【００２３】
図４および５を参照すると、受け器は、外壁部材２６と対向するように面した湾曲壁面１４の一部分４４（本実施例では外面１５の一部分でもある）周りで延び、湾曲壁面１４の一部分４４を覆うように構成されている。図２に示すフランジ１６および１８の内面２２および２４は、図２に示す接着剤２０によってボトル１２に取り付けるように構成されており、図５に示すように受け器の底面３４の内縁３８がボトルに十分に当接するようになっている。受け器１１がボトルにそのように取り付けられると、図４に示す湾曲壁面の部分４４が受け器の一部を効果的に形成する。したがって、受け器１１はボトル１２とともに全体的に３次元の略ポケット形状を形成するともいえる。図４に示す物体４１を、図５に示すようにボトルに連結された受け器１１内に置きたい場合、物体は、図１に示すように、底面３４、端部３０および３２、および外壁部材２６、ならびに図４に示すボトル１２の湾曲壁面１４の部分４４によって保持される。
【００２４】
本発明の構造から多くの利点が得られる。本明細書に記載される構造を有する受け器１１は、他の既知の受け器に対する改良を表すといえる。受け器は、ボトル自体の一部を使用することで、図２に示すように後面２８を開口したままとし、これにより受け器用の内壁面の事前作製を不要とすることを確実にする。このように形成された受け器は、必要な部品および材料がより少なくて済み、製造費用が低くなる。
【００２５】
また、後面２８を開口したままとすることによって、所定のボトルまたは他の円形製品の多様な湾曲を受け器の湾曲と一致させるための、受け器１１の底面３４および外壁部材２６の適応性が向上する。
【００２６】
ボトル１２の湾曲壁面１４の湾曲と等しいものとすることができる湾曲を有するアーチ形外壁部材２６を有する受け器は、円形製品との流線形を維持しながらポケット空間を最大化する構造を提供する。これにより、受け器内に配設することができる物体の数および種類が増加するという利点が得られ、同時に、受け器が流線形であることから、受け器をボトルとともに棚に効果的に保存し積み重ねることが容易になる。言い換えると、アーチ形の外壁部材２６および離間した径方向外向きに延びる端部３０および３２を有する受け器１１は、受け器内の保存空間を最大化するとともに、相対的に流線型を維持して、棚空間を最大化するという相乗効果をもたらす。この棚空間の節約によって、業者はより多くの製品を自分の店に保管し販売することができるようになる。
【００２７】
本明細書に記載されるように受け器１１の流線形の性質によって、受け器が他の隣接する製品とぶつかることを減らすこともできる。したがって、本明細書で説明される受け器の構造は、隣接する製品への損傷を防ぎ、受け器自体への損傷を防ぐことができる。
【００２８】
受け器１１をボトル１２に連結するためのフランジの使用は、他の受け器と比較して、必要な接着面積を低減し、したがって必要な接着剤の量を低減するよう作用するといってもよい。接着面積を低減することで、接着剤の塗布によって生じ得るボトル１２への損傷を抑制することができる。このことは特に、ボトルへの受け器１１の着脱を何度も行う場合に当てはるといってよい。
【００２９】
図６から１０は、別の実施形態による受け器１１．１を示す。同様の部品は図１から５に示す実施形態と同様の番号および機能を有し、「．１」が付されている。受け器１１．１が本実施例では図９および１０に示すように容器５０の湾曲壁面４８の内面４６である凹状面に取り付けるように構成されている点以外は、受け器１１．１は、図１から５に示す受け器１１と実質的に同じである。図６に示すように、受け器のフランジ１６．１および１８．１の内側面２２．１および２４．１は、それぞれ、本実施例では凸状である。図６に示すように、外壁部材２６．１および底面３４．１の外縁３６．１および内縁３８．１は、容器５０の湾曲壁面４８の内面４６の湾曲と一致する湾曲を有する。
【００３０】
図９および１０に示すように、本実施例の容器５０は全体的に円筒形であり、中心開口５２および前記開口と連通する内部５４を有する。容器は、開口５２を覆うように閉じた上面または蓋（図示せず）を有する。ことができる。容器５０は、本実施例では湾曲壁面４８の部分４４．１を通って延びる排水穴５３である開口を含む。受け器１１．１は、図６に示す外壁部材２６．１、端部３０．１および３２．１および底面３４．１ならびに部分４４．１によって囲まれた内部５５を有する。図１０に示すように、排水穴５３は受け器の内部と連通している。受け器１１．１は好ましくは、排水穴５３が受け器の底面３４．１のわずかに上方に位置合わせされるように配置されている。受け器の開口上面４０．１は、本実施例では容器５０の開口５２と位置合わせされている。
【００３１】
このように構成された受け器１１．１は、比較的コンパクトで合理化された方法で、容器５０の内部５４内に配置可能である。その結果、このように形成された受け器は、容器５０が他の別個の物体を受けるように、内部５４内の空間を比較的大きく空けておくことができる。
【００３２】
本明細書に記載される受け器は、輸送車両または輸送機械、もしくは購入顧客のみが受け器または「福袋（ｍｙｓｔｅｒｙ  ｐａｃｋａｇｅ）」内に入っているものを見ることができる販売パッケージの一部として使用することができる。これは特に、容器の内部５４内に便利に配設される受け器１１．１に当てはまる。図１から５に示す受け器１１では、外壁部材２６は、好ましくは不透明または半透明とし、顧客以外の者が受け器１１の内部物を見ることができないようにする。
【００３３】
図１１および１２は他の実施形態による受け器１１．２および容器５０．２を示す。同様の部品は図６から１０に示す実施形態と同様の番号および機能を有し、小数点以下「．１」を「．２」に置換し、小数点以下を有していなかった参照番号には小数点以下「．２」が付されている。
【００３４】
受け器１１．２は、２つの点を除いて図６に示す受け器と実質的に同様である。まず、受け器１１．２は受け器１１の長さのほぼ２倍であり、フランジ１６．２および１８．２、端部３０．２および３２．２、ならびに外壁部材２６．２はそれぞれ図６に示す対応部分に対して２倍のサイズである。また、受け器１１．２は端部３０．２および３２．２に連結し、端部３０．２と３２．２との間を延びる閉じた上面５１を含む。上面５１はまた、外壁部材２６．２に連結し、外壁部材２６．２から内向きに延びる。したがって、受け器の内部５５．２は、端部３０．２および３２．２、外壁部材２６．２、底面３４．２および上面５１によって囲まれている。
【００３５】
上面５１は、外壁部材２６．２に連結し、外壁部材２６．２と平行に延びる湾曲した外縁５７を含む。外縁５７は、本実施例では底面３４．２の外縁３６．２と平行に延びる。上面５１は、図１２に示す容器５０．２に当接し、容器５０．２周りで部分的に延びるように構成された湾曲した内縁５９も含む。上面の内縁５９は底面３４．２の内縁３８．２と平行に延びる。好ましい一実施形態によれば、内縁５９および３８．２、外縁５７および３６．２、フランジ１６．２および１８．２の内側面２２．２および２４．２、ならびに外壁部材２６．２は、湾曲壁面４８．２の湾曲と一致する湾曲を有する。
【００３６】
図１２に示すように、容器５０．２は内部５４．２を覆う閉じた上面５６を含む。上面５６は、上面５６を通って延びるスロット５８を有する。容器は、スロットを通って内部５４．２内の中味を知ることができる。
【００３７】
受け器１１．２の外壁部材２６．２と反対側の湾曲壁面４８．２の部分４４．２は、上半分６０およびこれに隣接する下半分６２を有する。上半分および下半分は全体的に湾曲した長方形の壁面の形態である。湾曲壁面の前記部分４４．２の上半分６０は、本実施例では全体的に長方形である開口６４を含む。開口６４は受け器１１．２の内部５５．２と連通し、受け器１１．２の内部５５．２へのアクセスを可能にする。湾曲壁面４８．２の前記部分４４．２の下半分６２は、排水穴５３．２を含む。下半分６２は湾曲壁面と一体のままである。したがって、湾曲壁面４８．２の前記部分４４．２の下半分６２は、受け器１１．２内に配設された福袋（ｍｙｓｔｅｒｙ  ｐａｃｋａｇｅ）などの物体を保持するように構成されている。
【００３８】
したがって、受け器は、上面５１によってアクセス制限されているが、開口６４を通して福袋（ｍｙｓｔｅｒｙ  ｐａｃｋａｇｅ）形式の物体などの情報を、購入顧客にもたらすことができる。
【００３９】
多くの他の変形例が、本明細書に記載された本発明の範囲内で可能であることが理解されよう。例えば、受け器は製品または容器に一体に連結することができる。
【００４０】
受け器は、容器をブロー成形し、受け器を容器と一体的に連結して成形することによって製造することができる。ブロー成形される容器はプラスチックまたはガラス製である。ブロー成形自体は、例えばＷｉｋｉｐｅｄｉａで「ブロー成形」を検索すると以下のリンクｈｔｔｐ：／／ｅｎ．ｗｉｋｉｐｅｄｉａ．ｏｒｇ／ｗｉｋｉ／Ｂｌｏｗ＿ｍｏｌｄｉｎｇで開示されているように、当業者には既知であり、その開示を参照によって本明細書に援用する。押出し成形機は、プラスチックまたはガラスなどの溶融材料を、加圧された空気によってブローピンを通して割り金型へと押圧する。割り金型は好ましくは、図１２に示す容器５０．２および受け器１１．２から部分４４．２を除いたものの鏡像である輪郭面で構成される。金型は、外壁部材２６．２、底面３４．２、上面５１、ならびに端部３０．２および３２．２の鏡像である、内向きに延びる突起を有する。したがって、突起は、全体的に図１１に示す受け器１１．２からフランジ１６．２および１８．２を除いたものの形および位置にくぼみを成形する形状になっている。方法は、加圧された空気によって材料を金型の輪郭面へと配設することを含む。材料は、くぼみを含む容器を成形する。次に、図１２に示す部分４４．２と同じ位の大きさの材料の一部分を、少なくともくぼみの一部に亘って連結することによって、容器用の受け器が成形される。方法の最終ステップは、材料を冷やすことである。
【００４１】
あるいは、一体化された容器を、例えばプレス鋼材または錫によって成形することもできる。
【００４２】
当業者には、上記で説明された詳細の多くは例示のためのものに過ぎず、添付の特許請求の範囲を参照して判断される本発明の範囲を制限するものではないことが理解されるであろう。
【図１】
2014503438.tif 000003
【図２】
2014503438.tif 000004
【図３】
2014503438.tif 000005
【図４】
2014503438.tif 000006
【図５】
2014503438.tif 000007
【図６】
2014503438.tif 000008
【図７】
2014503438.tif 000009
【図８】
2014503438.tif 000010
【図９】
2014503438.tif 000011
【図１０】
2014503438.tif 000012
【図１１】
2014503438.tif 000013
【図１２】
2014503438.tif 000014
【国際調査報告】
2014503438.tif 000015
2014503438.tif 000016